(57)【要約】【課題】オーバーヒートの発生を回避しながらもサイクルタイムを短縮するための行動情報を選択することを可能とする強化学習を行う。【解決手段】行動情報学習装置が、工作機械における加工に係る主軸の動作パターン及びパラメータの組合せを含む状態情報を取得する状態情報取得手段と、前記状態情報に含まれる前記動作パターン及び前記パラメータの組合せの調整情報を含む行動情報を出力する行動情報出力手段と、前記工作機械の温度及び前記工作機械の前記加工に係る加工時間についての情報である判定情報を取得し、該取得した判定情報に基づいて強化学習における報酬の値を出力する報酬計算手段と、前記報酬の値と、前記状態情報と、前記行動情報とに基づいて前記強化学習を行うことにより価値関数を更新する価値関数更新手段と、を備える。【選択図】図１
2018120453.tif 000002
【特許請求の範囲】
【請求項１】
工作機械における加工に係る主軸の動作パターン及びパラメータの組合せを含む状態情報を取得する状態情報取得手段と、
前記状態情報に含まれる前記動作パターン及び前記パラメータの組合せの調整情報を含む行動情報を出力する行動情報出力手段と、
前記工作機械の温度及び前記工作機械の前記加工に係る加工時間についての情報である判定情報を取得し、該取得した判定情報に基づいて強化学習における報酬の値を出力する報酬計算手段と、
前記報酬の値と、前記状態情報と、前記行動情報とに基づいて前記強化学習を行うことにより価値関数を更新する価値関数更新手段と、
を備える行動情報学習装置。
【請求項２】
前記状態情報は、前記主軸の動作パターンとして、切削送りの速度及び主軸を指定時間待機させるドウェルの何れか又は双方についての動作パターンを含み、
前記調整情報は、前記状態情報が含む前記動作パターンについて調整を行うための情報を含む請求項１に記載の行動情報学習装置。
【請求項３】
前記状態情報は、前記パラメータとして、加減速の時定数及び切削送りの速度オーバライドの何れか又は双方についてのパラメータを含み、
前記調整情報は、前記状態情報が含む前記パラメータについて調整を行うための情報を含む請求項１又は２に記載の行動情報学習装置。
【請求項４】
前記報酬計算手段は、
前記工作機械の温度が所定の温度以上である場合に前記報酬の値を負の値とし、
前記工作機械の温度が所定の温度未満であって前記工作機械の加工時間が前回の加工時間よりも短い場合に前記報酬の値を正の値とし、
前記工作機械の温度が所定の温度未満であって前記工作機械の加工時間が前回の加工時間よりも長い場合に前記報酬の値を負の値とする請求項１から３の何れか１項に記載の行動情報学習装置。
【請求項５】
他の行動情報学習装置との間で前記価値関数を共有し、
前記価値関数更新手段が前記共有した価値関数を更新する請求項１から４の何れか１項に記載の行動情報学習装置。
【請求項６】
請求項１から５の何れか１項に記載の行動情報学習装置と、行動情報最適化装置とを備える行動情報最適化システムであって、
前記行動情報最適化装置は、
前記価値関数更新手段により更新された価値関数に基づいて、前記工作機械による前記加工の価値を最大とするための行動情報である最適化行動情報を生成し、該生成した最適化行動情報を、前記工作機械に前記加工を行わせるために出力する、
行動情報最適化システム。
【請求項７】
コンピュータを、請求項１から５の何れか１項に記載の行動情報学習装置として機能させる行動情報学習プログラム。
【発明の詳細な説明】
【技術分野】
【０００１】
本発明は、工作機械等を制御するための行動情報に関する学習を行う行動情報学習装置及び行動情報学習プログラム、並びに、行動情報を最適化するための行動情報最適化システムに関する。
【背景技術】
【０００２】
工作機械による生産性を向上させるためには、ワークを加工するための加工時間であるサイクルタイムを短縮する必要がある。サイクルタイムの短縮のための方法としては、例えば、工作機械における切削送りの速度を上げたり、工作機械に備えられた主軸や送り軸の加減速の時定数を短くすることが考えられる。
【０００３】
しかしながら、切削送りの速度を上げたり、主軸や送り軸の加減速の時定数を短くすると、モータやアンプからなる各軸の駆動装置にかかる負荷が大きくなる。その結果として、駆動装置が発熱してオーバーヒートすることとなり、駆動装置の損傷や動作不良を引き起こすことがあり得る。
【０００４】
このような事態を防止するために、一般的な技術では、発熱により駆動装置の温度がオーバーヒートする直前まで上昇すると、アラームを発令して駆動部の動作を停止させることとしている。これにより駆動装置がオーバーヒートして、駆動装置が損傷等することを防止できる。しかしながら、駆動装置の運転を一旦停止してから、駆動装置が冷却されて温度が下がるまでの間は、再運転をすることができないため、加工が中断されてしまうという問題が生じる。
【０００５】
この問題を考慮して、特許文献１に開示の技術では、発熱により駆動装置の温度が所定の温度まで上昇した場合に、駆動部を直ちに停止させるのではなく、駆動部の動作速度を低下させている。このようにすれば、駆動装置の温度の更なる上昇を防止しつつ、駆動部を運転して加工を継続することが可能となる。
【先行技術文献】
【特許文献】
【０００６】
【特許文献１】特開２００３−５８３６号公報
【発明の概要】
【発明が解決しようとする課題】
【０００７】
上述したように、特許文献１に開示の技術を利用することにより、設定された加工プログラムによる加工処理時に駆動装置がオーバーヒートする可能性がある場合であっても、当該加工プログラムを調整することにより、加工を継続することができる。
【０００８】
しかしながら、特許文献１に開示の技術では、設定された加工プログラムによる加工処理時に駆動装置がオーバーヒートする可能性がある場合に、駆動部の動作速度を低下させることから、ワークを加工するためのサイクルタイムが長くなる。つまり、特許文献１に開示の技術では、工作機械による生産性が低下してしまうという課題がある。
【０００９】
そこで本発明は、工作機械における予め設定された加工処理に係る主軸の動作パターン、パラメータ等の組み合わせを含む状態情報（例えば後述の加工プログラム及びパラメータ等を含む情報）に対して、オーバーヒートの発生を回避しながらも当該加工サイクルタイムが最短になるような当該状態情報の調整情報を含む行動情報（例えば後述の当該加工プログラムの調整及び当該加工プログラム実行時におけるパラメータの調整を含む情報）を選択することを可能とする強化学習を行うための行動情報学習装置及び行動情報学習プログラム、並びに、このような行動情報を選択するための行動情報最適化システムを提供することを目的とする。
【課題を解決するための手段】
【００１０】
（１）  本発明による行動情報学習装置（例えば、後述の行動情報学習装置３００）は、工作機械（例えば、後述の工作機械１００）における加工に係る主軸の動作パターン及びパラメータの組合せ（例えば、後述の加工プログラム及びパラメータの組合せ）を含む状態情報を取得する状態情報取得手段（例えば、後述の状態情報取得部３１０）と、前記状態情報に含まれる前記動作パターン及び前記パラメータの組合せの調整情報を含む行動情報を出力する行動情報出力手段（例えば、後述の行動情報出力部３２０）と、前記工作機械の温度及び前記工作機械の前記加工に係る加工時間についての情報である判定情報を取得し、該取得した判定情報に基づいて強化学習における報酬の値を出力する報酬計算手段（例えば、後述の報酬計算部３３３）と、前記報酬の値と、前記状態情報と、前記行動情報とに基づいて前記強化学習を行うことにより価値関数を更新する価値関数更新手段（例えば、後述の価値関数更新部３３２）と、を備える。
【００１１】
（２）  上記（１）に記載の行動情報学習装置を、前記状態情報は、前記主軸の動作パターンとして、切削送りの速度及び主軸を指定時間待機させるドウェルの何れか又は双方についての動作パターンを含み、前記調整情報は、前記状態情報が含む前記動作パターンについて調整を行うための情報を含むようにしてもよい。
【００１２】
（３）  上記（１）又は（２）に記載の行動情報学習装置を、前記状態情報は、前記パラメータとして、加減速の時定数及び切削送りの速度オーバライドの何れか又は双方についてのパラメータを含み、前記調整情報は、前記状態情報が含む前記パラメータについて調整を行うための情報を含むようにしてもよい。
【００１３】
（４）  上記（１）から（３）の何れかに記載の行動情報学習装置を、前記報酬計算手段は、前記工作機械の温度が所定の温度以上である場合に前記報酬の値を負の値とし、前記工作機械の温度が所定の温度未満であって前記工作機械の加工時間が前回の加工時間よりも短い場合に前記報酬の値を正の値とし、前記工作機械の温度が所定の温度未満であって前記工作機械の加工時間が前回の加工時間よりも長い場合に前記報酬の値を負の値とするようにしてもよい。
【００１４】
（５）  上記（１）から（４）の何れかに記載の行動情報学習装置を、他の行動情報学習装置との間で前記価値関数を共有し、前記価値関数更新手段が前記共有した価値関数を更新するようにしてもよい。
【００１５】
（６）  本発明による行動情報最適化システム（例えば、後述の行動情報最適化システム１）は、上記（１）から（５）の何れかに記載の行動情報学習装置と、行動情報最適化装置（例えば、後述の行動情報最適化装置４００）とを備える行動情報最適化システムであって、前記行動情報最適化装置は、前記価値関数更新手段により更新された価値関数に基づいて、前記工作機械による前記加工の価値を最大とするための行動情報である最適化行動情報を生成し、該生成した最適化行動情報を、前記工作機械に前記加工を行わせるために出力する。
【００１６】
（６）  本発明による行動情報学習プログラムは、コンピュータを、上記（１）から（５）の何れかに記載の行動情報学習装置として機能させる。
【発明の効果】
【００１７】
本発明によれば、オーバーヒートの発生を回避しながらもサイクルタイムを短縮するために、工作機械における予め設定された加工処理に係る主軸の動作パターン、パラメータ等の組み合わせを含む状態情報の調整情報を含む行動情報を選択することを可能とする強化学習を行うことができる。また、本発明によれば、このような行動情報を選択することができる。
【図面の簡単な説明】
【００１８】
【図１】本発明の実施形態全体の基本的構成を示すブロック図である。
【図２】本発明の実施形態に含まれる各装置が備える機能ブロックについて示すブロック図である。
【図３】本発明の実施形態における強化学習時の基本的動作を示すフローチャートである。
【図４】本発明の実施形態における最適化行動情報の選択時の基本的動作を示すフローチャートである。
【発明を実施するための形態】
【００１９】
次に、本発明の実施形態について図面を参照して詳細に説明する。
まず、本実施形態に係る行動情報最適化システム１の構成について説明する。行動情報最適化システム１は、図１に示すように、ｎ台の工作機械１００、ｎ台の数値制御装置２００、ｍ台の行動情報学習装置３００、行動情報最適化装置４００及びネットワーク５００を備えている。なお、ｎおよびｍは任意の自然数である。
【００２０】
ここで、数値制御装置２００と工作機械１００とは１対１の組とされて、通信可能に接続されている。数値制御装置２００と工作機械１００とは、接続インタフェースを介して直接接続されても、またＬＡＮ（Local Area Network）などのネットワークを介して接続されてもよい。これら数値制御装置２００と工作機械１００の組は、例えば同じ工場に複数組設置されていてもよく、それぞれ異なる工場に設置されていてもよい。
【００２１】
また、数値制御装置２００と、行動情報学習装置３００と、行動情報最適化装置４００は、それぞれ接続インタフェースを介して直接に接続、又はそれぞれネットワーク５００を介して接続されており、相互に通信を行うことが可能である。なお、ネットワーク５００は、例えば、工場内に構築されたＬＡＮや、インターネット、公衆電話網、或いは、これらの組み合わせである。ネットワーク５００における具体的な通信方式や、有線接続および無線接続のいずれであるか等については、特に限定されない。
【００２２】
次に、行動情報学習システム１に含まれるこれら装置の機能について、図２を参照して説明する。ここで、図２は、各装置に含まれる機能ブロックを表すブロック図である。なお、各数値制御装置２００はそれぞれ同等の機能を有しているため、図２では１台のみを図示する。同様に、各工作機械１００や各行動情報学習装置３００もそれぞれ同等の機能を有しているため、図２では１台のみを図示する。また、各装置間に存在するネットワーク５００については、その図示を省略する。
【００２３】
工作機械１００は、数値制御装置２００に設定された加工プログラム及び数値制御装置２００に設定されたパラメータ（例えば加減速の時定数、切削送り速度オーバライド値等）の設定値に基づいて、生成される動作指令にしたがって、例えば切削加工を行う工作機械である。工作機械１００は、主軸モータ１１０と、温度測定部１２０と、サイクルカウンタ１３０を備える。
【００２４】
主軸モータ１１０は、切削加工を行うためのスピンドルモータである。主軸モータ１１０には、切削加工用の刃物（図示を省略する）が取り付けられており、主軸モータ１１０で回転する主軸（図示を省略する）と、この主軸を送り出す送り軸（図示を省略する）とによって切削加工を行う。
【００２５】
温度測定部１２０は、主軸モータ１１０の温度を測定する温度センサである。温度測定部１２０が測定した温度は、温度情報（主軸温度を示す値又は主軸温度の上昇量を示す値）として数値制御装置２００に対して出力される。なお、温度測定部１２０は、主軸モータ１１０に内蔵されていてもよく、また主軸モータ１１０の近傍に設置されていてもよい。
【００２６】
サイクルカウンタ１３０は、工作機械１００が所定の切削加工を行った場合に、この切削加工に要した加工時間であるサイクルタイムを計測するためのカウンタである。サイクルカウンタ１３０が計測したサイクルタイムは、数値制御装置２００に対して出力される。
【００２７】
数値制御装置２００は、工作機械１００を制御することにより、工作機械１００に所定の切削加工を行わせる装置である。また、数値制御装置２００は、状態情報（「ステータス」ともいう）を行動情報学習装置３００に対して送信する。更に、数値制御装置２００は、行動情報（「アクション」）ともいう）を行動情報学習装置３００から受信する。これら各情報の詳細については、行動情報学習装置３００の機能ブロックの説明と併せて説明をする。
【００２８】
数値制御装置２００は、モータ制御部２１０と、パラメータ設定部２２０と、プログラム修正部２３０と、を備える。
【００２９】
モータ制御部２１０は、加工プログラム及びパラメータ（例えば加減速の時定数、切削送り速度オーバライド値等）の設定値に基づいて動作指令を生成し、生成した動作指令を工作機械１００に送出することにより、工作機械１００の主軸モータ１１０等の駆動を制御する。これにより、工作機械１００による切削加工が実現される。ここで、加工プログラムには、切削加工の条件（主軸の回転数、切削送りの速度、切削時間、及びそのままの状態で指定時間待機させるドウェル等）が定義されている。
【００３０】
パラメータ設定部２２０は、工作機械１００の当該加工プログラムによる加工処理に関するパラメータを設定する部分である。工作機械１００のパラメータとは、例えば加減速の時定数や、オーバライドに関するパラメータである。かかるパラメータの設定値は、行動情報学習装置３００から出力される行動情報や、行動情報最適化装置４００から出力される最適化行動情報に基づいて調整される。
【００３１】
プログラム修正部２３０は、加工プログラムを直接修正する。具体的には、プログラム修正部２３０は、当該加工プログラムで記述された切削送り速度やドウェル等を、行動情報学習装置３００から出力される行動情報や、行動情報最適化装置４００から出力される最適化行動情報に基づいて、プログラムコードを直接修正する。
【００３２】
以上、工作機械１００及び数値制御装置２００の機能ブロックについて説明したが、上述した機能ブロックは本実施形態の動作に特に関連する部分である。工作機械１００及び数値制御装置２００は、上述した機能ブロック以外にも一般的な機能ブロックを備えている。例えば、ワークを移動させるためのサーボモータや、サーボモータを制御するための制御部や、位置・速度フィードバック制御を行うための位置・速度検出器や、動作指令を増幅するモータ駆動アンプや、ユーザの操作を受け付けるための操作盤等を機能ブロックとして備えている。しかしながら、これらの一般的な機能ブロックについては当業者によく知られているので詳細な説明及び図示を省略する。
【００３３】
行動情報学習装置３００は、強化学習を行う装置である。行動情報学習装置３００に含まれる各機能ブロックの説明に先立って、まず強化学習の基本的な仕組みについて説明する。エージェント（本実施形態における行動情報学習装置３００に相当）は、環境の状態を観測し、ある行動を選択し、当該行動に基づいて環境が変化する。環境の変化に伴って、何らかの報酬が与えられ、エージェントはより良い行動の選択（意思決定）を学習する。
教師あり学習が、完全な正解を示すのに対して、強化学習における報酬は、環境の一部の変化に基づく断片的な値であることが多い。
このため、エージェントは、将来にわたっての報酬の合計を最大にするように行動を選択するように学習する。
【００３４】
このように、強化学習では、行動を学習することにより、環境に行動が与える相互作用を踏まえて適切な行動を学習、すなわち将来的に得られる報酬を最大にするための学習する方法を学ぶ。これは、本実施形態において、例えば、オーバーヒートの発生を回避しながらもサイクルタイムを短縮するための行動情報を選択するという、未来に影響をおよぼすような行動を獲得できることを表している。
【００３５】
ここで、強化学習としては、任意の学習方法を用いることができるが、以下の説明では、或る環境の状態ｓの下で、行動ａを選択する価値Ｑ（ｓ，ａ）を学習する方法であるＱ学習（Q-learning）を用いる場合を例にとって説明をする。
Ｑ学習では、或る状態ｓのとき、取り得る行動ａのなかから、価値Ｑ（ｓ，ａ）の最も高い行動ａを最適な行動として選択することを目的とする。
【００３６】
しかしながら、Ｑ学習を最初に開始する時点では、状態ｓと行動ａとの組合せについて、価値Ｑ（ｓ，ａ）の正しい値は全く分かっていない。そこで、エージェントは、或る状態ｓの下で様々な行動ａを選択し、その時の行動ａに対して、与えられる報酬に基づいて、より良い行動の選択をすることにより、正しい価値Ｑ（ｓ，ａ）を学習していく。
【００３７】
また、将来にわたって得られる報酬の合計を最大化したいので、最終的にＱ（ｓ，ａ）＝Ｅ［Σ（γｔ）ｒｔ］となるようにすることを目指す。ここでＥ［］は期待値を表し、ｔは時刻、γは後述する割引率と呼ばれるパラメータ、ｒｔは時刻ｔにおける報酬、Σは時刻ｔによる合計である。この式における期待値は、最適な行動に従って状態変化した場合の期待値である。しかしＱ学習の過程において最適な行動が何であるのかは不明であるので、様々な行動を行うことにより、探索しながら強化学習をする。このような価値Ｑ（ｓ，ａ）の更新式は、例えば、次の式（１）により表すことができる。
【００３８】
【数１】
2018120453.tif 000003
【００３９】
上記の式（１）において、ｓｔは、時刻ｔにおける環境の状態を表し、ａｔは、時刻ｔにおける行動を表す。行動ａｔにより、状態はｓｔ＋１に変化する。ｒｔ＋１は、その状態の変化により得られる報酬を表している。また、ｍａｘの付いた項は、状態ｓｔ＋１の下で、その時に分かっている最もＱ値の高い行動ａを選択した場合のＱ値にγを乗じたものになる。ここで、γは、０＜γ≦１のパラメータで、割引率と呼ばれる。また、αは、学習係数で、０＜α≦１の範囲とする。
【００４０】
上述した式（１）は、試行ａｔの結果、返ってきた報酬ｒｔ＋１を元に、状態ｓｔにおける行動ａｔの価値Ｑ（ｓｔ，ａｔ）を更新する方法を表している。  この更新式は、状態ｓｔにおける行動ａｔの価値Ｑ（ｓｔ，ａｔ）よりも、行動ａｔによる次の状態ｓｔ＋１における最良の行動の価値ｍａｘａ  Ｑ（ｓｔ＋１，ａ）の方が大きければ、Ｑ（ｓｔ，ａｔ）を大きくし、逆に小さければ、Ｑ（ｓｔ，ａｔ）を小さくすることを示している。つまり、或る状態における或る行動の価値を、それによる次の状態における最良の行動の価値に近づける。ただし、その差は、割引率γと報酬ｒｔ＋１のあり方により変わってくるが、基本的には、ある状態における最良の行動の価値が、それに至る一つ前の状態における行動の価値に伝播していく仕組みになっている。
【００４１】
ここで、Ｑ学習では、すべての状態行動ペア（ｓ，ａ）についてのＱ（ｓ，ａ）のテーブルを作成して、学習を行う方法がある。しかし、すべての状態行動ペアのＱ（ｓ，ａ）の値を求めるには状態数が多すぎて、Ｑ学習が収束するのに多くの時間を要してしまう場合がある。
【００４２】
そこで、公知のＤＱＮ（Deep Q-Network）と呼ばれる技術を利用するようにしてもよい。具体的には、価値関数Ｑを適当なニューラルネットワークを用いて構成し、ニューラルネットワークのパラメータを調整することにより、価値関数Ｑを適当なニューラルネットワークで近似することにより価値Ｑ（ｓ，ａ）の値を算出するようにしてもよい。ＤＱＮを利用することにより、Ｑ学習が収束するのに要する時間を短くすることが可能となる。なお、ＤＱＮについては、例えば、以下の非特許文献に詳細な記載がある。
【００４３】
＜非特許文献＞
「Human-level control through deep reinforcement learning」、Volodymyr Mnih1著［ｏｎｌｉｎｅ］、［平成２９年１月１７日検索］、インターネット〈ＵＲＬ：http://files.davidqiu.com/research/nature14236.pdf〉
【００４４】
以上説明をしたＱ学習を行動情報学習装置３００は行う。具体的には、行動情報学習装置３００は、工作機械１００において設定された加工プログラムの内容及び当該加工プログラム実行時におけるパラメータの組み合わせ等を状態ｓとして、当該状態ｓに係る当該加工プログラムの修正及びパラメータの調整を行動ａとして選択する価値Ｑを学習する。
【００４５】
行動情報学習装置３００は、工作機械１００において設定された加工プログラム及びパラメータ等の状態ｓを観測して、行動ａを決定する。行動情報学習装置３００は、行動ａをするたびに報酬が返ってくる。行動情報学習装置３００は、将来にわたっての報酬の合計が最大になるように最適な行動ａを試行錯誤的に探索する。そうすることで、行動情報学習装置３００は、工作機械において設定された加工プログラムの内容及び当該加工プログラム実行時におけるパラメータの組合せ等である状態ｓに対して、最適な行動ａを選択することが可能となる。
【００４６】
すなわち、行動情報学習装置３００により学習された価値関数Ｑに基づいて、或る状態ｓに係る加工プログラム及びパラメータの組み合わせに対して、適用される行動ａのうち、Ｑの値が最大となるような行動ａを選択することで、オーバーヒートの発生を回避しながらも当該加工サイクルタイムが最短になるような行動ａを選択することが可能となる。
【００４７】
以上の強化学習を行うために、行動情報学習装置３００は、状態情報取得部３１０、行動情報出力部３２０、学習部３３０及び価値関数記憶部３４０を備える。
【００４８】
状態情報取得部３１０は、加工プログラムの内容及び当該加工プログラム実行時におけるパラメータの組合せ等である状態情報ｓを、数値制御装置２００（及び／又は工作機械１００）から取得する部分である。この状態情報ｓは、Ｑ学習における、環境状態ｓに相当する。
【００４９】
具体的には、本実施形態における状態情報ｓには、工作機械１００を制御するための加工プログラムの内容及び当該加工プログラム実行時におけるパラメータの組み合わせ、当該加工プログラム等による加工処理を実行する前の工作機械１００の主軸温度、及び当該加工プログラム等による加工処理を実行する場合のサイクルタイムが含まれる。状態情報取得部３１０は、取得した状態情報ｓを学習部３３０に対して出力する。
【００５０】
また、状態情報取得部３１０は、Ｑ学習を行うための報酬を算出するための判定情報も取得する。具体的には、状態情報ｓに係る加工プログラム及び当該加工プログラム実行時におけるパラメータの組み合わせを実行後の工作機械１００の主軸温度、及び当該加工処理を実行した場合のサイクルタイムを、Ｑ学習を行うための報酬を算出するための判定情報とする。
【００５１】
行動情報出力部３２０は、学習部３３０から入力される行動情報ａを数値制御装置２００に対して送信する部分である。数値制御装置２００は上述したように、この行動情報に基づいて、現在の状態ｓすなわち現在設定されている加工プログラム及びパラメータを修正することで、次の状態ｓ´（すなわち修正された加工プログラム、修正されたパラメータ、工作機械１００の主軸温度、及び当該修正された加工プログラムと修正されたパラメータによる加工処理を実行した場合のサイクルタイムを含む状態）に遷移する。
【００５２】
学習部３３０は、或る環境状態ｓの下で、ある行動ａを選択する場合の価値Ｑ（ｓ，ａ）を学習する部分である。具体的には、学習部３３０は、報酬計算部３３１、価値関数更新部３３２及び行動情報生成部３３３を備える。
【００５３】
報酬計算部３３１は、或る状態ｓの下で、行動ａを選択した場合の報酬を判定情報に基づいて算出する部分である。ここで、本実施形態では、行動情報ａにより修正された状態情報ｓ´に係る修正後の加工プログラム及び当該修正後の加工プログラム実行時における修正後のパラメータ値に基づいて動作した工作機械１００がオーバーヒートした場合に、報酬の値を負の値とする。
【００５４】
また、行動情報ａにより修正された状態情報ｓ´に係る修正後の加工プログラム及び当該修正後の加工プログラム実行時における修正後のパラメータ値に基づいて動作した工作機械１００のサイクルタイムが、行動情報ａにより修正される前の状態情報ｓに係る修正前の加工プログラム及び当該修正前の加工プログラム実行時における修正前のパラメータ値に基づいて動作した工作機械１００のサイクルタイムよりも長くなった場合にも、報酬の値を負の値とする。
【００５５】
一方で、行動情報ａにより修正された状態情報ｓ´に係る修正後の加工プログラム及び当該修正後の加工プログラム実行時における修正後のパラメータ値に基づいて動作した工作機械１００がオーバーヒートせず、且つ、サイクルタイムが行動情報ａにより修正される前の状態情報ｓに係る修正前の加工プログラム及び当該修正前の加工プログラム実行時における修正前のパラメータ値に基づいて動作した工作機械１００のサイクルタイムよりも短くなった場合に、報酬の値を正の値とする。
【００５６】
また、報酬の値については重みづけを与えるようにすると、例えば、オーバーヒートは、好ましくない状態であることから、オーバーヒートする場合の負の値の大きさをサイクルタイムが長くなった場合の負の値に比較して、大きくすることが好ましい。
また、行動ａを実行後の状態ｓ´のサイクルタイムが、前の状態ｓにおけるサイクルタイムより長くなった場合の負の値としては、比率に応じて負の値を大きくするようにしてもよい。つまりサイクルタイムが長くなった度合いに応じて負の値が大きくなるようにするとよい。逆に、行動ａを実行後の状態ｓ´のサイクルタイムが、前の状態ｓにおけるサイクルタイムより短くなった場合の正の値としては、比率に応じて正の値を大きくするようにしてもよい。つまりサイクルタイムが短くなった度合いに応じて正の値が大きくなるようにするとよい。
【００５７】
価値関数更新部３３２は、状態ｓと、行動ａと、行動ａを状態ｓに適用した場合の状態ｓ´と、上記のようにして算出された報酬の値と、に基づいてＱ学習を行うことにより、価値関数記憶部３４０が記憶する価値関数Ｑを更新する。
価値関数Ｑの更新は、オンライン学習で行ってもよく、バッチ学習で行ってもよく、ミニバッチ学習で行ってもよい。
オンライン学習とは、或る行動ａを現在の状態ｓに適用することにより、状態ｓが新たな状態ｓ´に遷移する都度、即座に価値関数Ｑの更新を行うという学習方法である。また、バッチ学習とは、或る行動ａを現在の状態ｓに適用することにより、状態ｓが新たな状態ｓ´に遷移することを繰り返すことにより、学習用のデータを収集し、収集した全ての学習用データを用いて、価値関数Ｑの更新を行うという学習方法である。更に、ミニバッチ学習とは、オンライン学習と、バッチ学習の中間的な、ある程度学習用データが溜まるたびに価値関数Ｑの更新を行うという学習方法である。
【００５８】
行動情報生成部３３３は、Ｑ学習の過程において、工作機械１００に様々な動作（Ｑ学習における行動ａに相当する。）を行わせるために、行動情報ａを生成して、生成した行動情報ａを行動情報出力部３２０に対して出力する。
【００５９】
具体的には、行動情報生成部３３３は、現在の状態ｓに対して、Ｑ学習の過程における行動ａを選択する。本実施形態における行動情報ａには、現在の状態ｓに係る加工プログラムで記述された切削送り速度やドウェル等の修正情報、及び現在の状態ｓに係るパラメータ（例えば加減速の時定数、切削送り速度オーバライド値等）の設定値が含まれる。
【００６０】
行動情報生成部３３３は、例えば、状態ｓに含まれる加工プログラム及びパラメータに対して行動ａに含まれる、切削送り速度やドウェル等の修正情報、及びパラメータ（例えば加減速の時定数、切削送り速度オーバライド値等）の設定値を適用して、状態ｓ´に遷移して、プラスの報酬（正の値の報酬）が返った場合、次の行動ａ´としては、例えば、切削送り速度をインクレメンタルに増加、又は時定数をインクレメンタルに小さくする等、サイクルタイムがより短くなるような行動ａ´を選択する方策を取るようにしてもよい。
【００６１】
また、逆に、マイナスの報酬（負の値の報酬）が返った場合、行動情報生成部３３３は、次の行動ａ´としては、例えば、切削送り速度をインクレメンタルに減少、又は時定数をインクレメンタルに大きくする等、負荷がより少なくなるような行動ａ´を選択する方策を取るようにしてもよい。
【００６２】
また、行動情報生成部３３３は、現在の推定される行動ａの価値の中で、最も価値Ｑ（ｓ，ａ）の高い行動ａ´を選択するグリーディ法や、ある小さな確率εでランダムに行動ａ´選択し、それ以外では最も価値Ｑ（ｓ，ａ）の高い行動ａ´を選択するεグリーディ法といった公知の方法により、行動ａ´を選択する方策を取るようにしてもよい。
【００６３】
価値関数記憶部３４０は、価値関数Ｑを記憶する記憶装置である。価値関数記憶部３４０に記憶された価値関数Ｑは、価値関数更新部３３２により更新される。また、価値関数記憶部３４０に記憶された価値関数Ｑは、他の行動情報学習装置３００との間で共有されるようにしてもよい。価値関数Ｑを複数の行動情報学習装置３００で共有するようにすれば、各行動情報学習装置３００にて分散して強化学習を行うことが可能となるので、強化学習の効率を向上させることが可能となる。
【００６４】
行動情報最適化装置４００は、価値関数更新部３３２がＱ学習を行うことにより更新した価値関数Ｑに基づいて、価値Ｑ（ｓ，ａ）が最大となる動作を工作機械１００に行わせるための行動情報ａ（以下、「最適化行動情報」と呼ぶ。）を生成する装置である。
【００６５】
行動情報最適化装置４００は、最適化行動情報出力部４１０を備えている。
最適化行動情報出力部４１０は、価値関数記憶部３４０が記憶している価値関数Ｑを取得する。この価値関数Ｑは、上述したように価値関数更新部３３２がＱ学習を行うことにより更新したものである。そして、最適化行動情報出力部４１０は、価値関数Ｑに基づいて、最適化行動情報を生成し、生成した最適化行動情報を数値制御装置２００に対して出力する。この最適化行動情報には、行動情報出力部３２０がＱ学習の過程において出力する行動情報と同様に、修正後の加工プログラム及び当該修正後の加工プログラム実行時における修正後のパラメータ値が含まれる。
【００６６】
数値制御装置２００が、この最適化行動情報に基づいて現在設定されている加工プログラム及びパラメータを修正して、動作指令を生成することにより、工作機械１００は、オーバーヒートの発生を回避しながらも当該加工サイクルタイムが最短になるように動作することができる。
【００６７】
以上、数値制御装置２００や行動情報学習装置行動情報学習装置３００や行動情報最適化装置４００に含まれる機能ブロックについて説明した。
【００６８】
これらの機能ブロックを実現するために、数値制御装置２００、行動情報学習装置行動情報学習装置３００及び行動情報最適化装置４００のそれぞれは、ＣＰＵ（Central Processing Unit）等の演算処理装置を備える。また、数値制御装置２００、行動情報学習装置行動情報学習装置３００及び行動情報最適化装置４００のそれぞれは、アプリケーションソフトウェアやＯＳ（Operating System）等の各種の制御用プログラムを格納したＨＤＤ（Hard Disk Drive）等の補助記憶装置や、演算処理装置がプログラムを実行する上で一時的に必要とされるデータを格納するためのＲＡＭ（Random Access Memory）といった主記憶装置も備える。
【００６９】
そして、数値制御装置２００、行動情報学習装置行動情報学習装置３００及び行動情報最適化装置４００のそれぞれにおいて、演算処理装置が補助記憶装置からアプリケーションソフトウェアやＯＳを読み込み、読み込んだアプリケーションソフトウェアやＯＳを主記憶装置に展開させながら、これらのアプリケーションソフトウェアやＯＳに基づいた演算処理を行なう。また、この演算結果に基づいて、各装置が備える各種のハードウェアを制御する。これにより、本実施形態の機能ブロックは実現される。つまり、本実施形態は、ハードウェアとソフトウェアが協働することにより実現することができる。
【００７０】
具体例として、数値制御装置２００は、一般的な数値制御装置に本実施形態を実現するためのアプリケーションソフトウェアを組み込むことにより実現できる。また、故障予測装置行動情報学習装置３００や行動情報最適化装置４００は、一般的なパーソナルコンピュータに本実施形態を実現するためのアプリケーションソフトウェアを組み込むことより実現できる。
【００７１】
ただし、行動情報学習装置３００については機械学習に伴う演算量が多いため、例えば、パーソナルコンピュータにＧＰＵ（Graphics Processing Units）を搭載し、ＧＰＧＰＵ（General-Purpose computing on Graphics Processing Units）と呼ばれる技術により、ＧＰＵを機械学習に伴う演算処理に利用するようにすると高速処理できるようになるのでよい。更には、より高速な処理を行うために、このようなＧＰＵを搭載したコンピュータを複数台用いてコンピュータ・クラスターを構築し、このコンピュータ・クラスターに含まれる複数のコンピュータにて並列処理を行うようにしてもよい。
【００７２】
次に、図３のフローチャートを参照して本実施形態におけるＱ学習時の行動情報学習装置３００の動作について説明をする。
【００７３】
まず、ステップ１１において、状態情報取得部３１０が数値制御装置２００から状態情報を取得する。取得した状態情報は、価値関数更新部３３２や行動情報生成部３３３に対して出力される。上述したように、この状態情報は、Ｑ学習における状態ｓに相当する情報であり、ステップＳ１１時点での、加工プログラムの内容とパラメータの設定値、工作機械１００の主軸温度、及び当該加工プログラムおよびパラメータに基づいて加工処理した場合のサイクルタイムが含まれる。なお、最初にＱ学習を開始する時点での加工プログラム及びパラメータの設定値は、予めユーザが生成するようにする。つまり、本実施形態では、ユーザが作成した加工プログラム及びパラメータの初期設定値を、強化学習により最適なものに調整する。
【００７４】
ステップ１２において、行動情報生成部３３３が新たな行動情報を生成し、生成した新たな行動情報を、行動情報出力部３２０を介して数値制御装置２００に対して出力する。行動情報を受信した数値制御装置２００は、受信した行動情報に基づいて現在の状態ｓに係る加工プログラム及びパラメータを修正した状態ｓ´により、工作機械１００を駆動させて切削加工を行う。上述したように、この行動情報は、Ｑ学習における行動ａに相当するものである。ここで、行動情報には、例えば、切削送りの速度や、ドウェルの時間等を定義した加工プログラムの修正値と、加減速の時定数をはじめとするパラメータの設定値が含まれる点については上述した通りである。
【００７５】
ステップＳ１３において、状態情報取得部３１０は、新たな状態ｓ´についての判定情報を取得する。ここで、新たな状態ｓ´には、状態ｓ´に係る加工プログラム及びパラメータと、主軸の温度情報と、状態ｓ´に係る加工処理を行うために要したサイクルタイムと、を含む。また、判定情報は、状態ｓ´に係る加工処理行うことにより変化した温度情報と、状態ｓ´に係る加工処理を行うために要したサイクルタイムと、を含む。取得した判定情報は、価値関数更新部３３２に対して出力される。
【００７６】
価値関数更新部３３２は、入力された判定情報に基づいて報酬を算出する。そのために、ステップ１４において、価値関数更新部３３２は、判定情報に含まれる温度情報に基づいて、状態ｓ´に係る加工プログラム及びパラメータを実行したことにより工作機械１００の駆動部がオーバーヒートしたか否かを判定する。
【００７７】
ここで、オーバーヒートしているのであれば（ステップＳ１４にてＹｅｓ）、ステップＳ１５において、報酬を第１の値とする。ここで、第１の値は負の値とする。一方で、オーバーヒートしていないのであれば（ステップＳ１４にてＮｏ）、ステップＳ１６に進む。
【００７８】
ステップＳ１６において、判定情報に含まれるサイクルタイムに基づいて、サイクルタイムが短くなったか否かを判定する。かかる判定は、状態ｓ´の判定情報に含まれる、状態ｓ´に係る加工処理を行うために要したサイクルタイムと、状態ｓ´の前の状態である状態ｓの判定情報に含まれる、状態ｓに係る加工処理を行うために要したサイクルタイムとを比較することにより行うことができる。
【００７９】
ここで、サイクルタイムが短くなっているのであれば（ステップＳ１６にてＹｅｓ）、ステップＳ１７において、報酬を第２の値とする。ここで、第２の値は正の値とする。一方で、サイクルタイムが短くなっていないのであれば（ステップＳ１６にてＮｏ）、ステップＳ１８において、報酬を第３の値とする。ここで、第３の値は負の値とする。なお、上述したように、第１の値、第２の値、及び第３の値について重みづけを行うようにしてもよい。
【００８０】
ステップＳ１５、ステップＳ１７及びステップＳ１８の何れかが終了すると、ステップＳ１９において、この何れかのステップにて算出された報酬の値に基づいて、価値関数更新部３３２が、価値関数記憶部３４０が記憶している価値関数Ｑを更新する。そして、再度ステップＳ１１に戻り、上述した処理を繰り返すことにより、価値関数Ｑは適切な値に収束していく。なお、上述した処理を、所定回数繰り返したことや、所定時間繰り返したことを条件として処理を終了するようにしてもよい。
なお、ステップＳ１５はオンライン更新を例示しているが、オンライン更新に替えてバッチ更新又はミニバッチ更新に置き換えてもよい。
【００８１】
以上、図３を参照して説明した動作により、本実施形態では、オーバーヒートの発生を回避しながらもサイクルタイムを短縮するための行動情報を生成するための価値関数Ｑを生成することができる、という効果を奏する。
【００８２】
次に、図４のフローチャートを参照して、行動情報最適化装置４００による最適化行動情報の生成時の動作について説明をする。
まず、ステップＳ２１において、行動情報最適化装置４００の最適化行動情報出力部４１０は、価値関数記憶部３４０が記憶している価値関数Ｑを取得する。この価値関数Ｑは、上述したように価値関数更新部３３２がＱ学習を行うことにより更新したものである。
【００８３】
ステップＳ２２において、最適化行動情報出力部４１０は、この価値関数Ｑに基づいて、最適化行動情報を生成し、生成した最適化行動情報を数値制御装置２００に対して出力する。
【００８４】
以上のように、数値制御装置２００が、この最適化行動情報に基づいて現在設定されている加工プログラム及びパラメータを修正して、動作指令を生成することにより、工作機械１００は、オーバーヒートの発生を回避しながらも当該加工サイクルタイムが最短になるように動作することができる、という効果を奏する。
【００８５】
また、図４を参照して説明した動作により、本実施形態では、価値関数Ｑに基づいて、最適化行動情報を生成し、この最適化行動情報に基づいて現在設定されている加工プログラム及びパラメータを修正して、動作指令を生成することにより、オーバーヒートの発生を回避しながらもサイクルタイムを短縮して、工作機械１００を制御することが可能となる、という効果も奏する。
【００８６】
この本実施形態の効果についてより詳細に説明する。前提として、加工プログラムを調整して、切削送りの速度を上げることで、サイクルタイムを短縮できる。一方で、切削送りの速度を下げることで、主軸の発熱を抑えることができる。また、加工プログラムを調整して、ドウェルを短くすることで、サイクルタイムを短縮できる。一方で、ドウェルを長くすることで、主軸の発熱を抑えることができる。更に、パラメータの設定値を調整して加減速の時定数を短くすることで、サイクルタイムを短縮できる。一方で、加減速の時定数を長くすることで、主軸の発熱を抑えることができる。
【００８７】
このように、サイクルタイムの短縮と主軸の発熱はトレードオフの関係にあることが多い。そのため、加工プログラムやパラメータの設定値を適切に調整することにより、オーバーヒートの発生を回避しながらもサイクルタイムを短縮することは困難である。
従って、一般的な技術では、オーバーヒートが発生しそうな場合に、対症療法的に駆動部を停止させたり、駆動部の速度を低下させたりしていた。
【００８８】
これに対して、本実施形態では、上述したように、加工プログラムやパラメータの設定値を調整しながら強化学習を行うことにより、オーバーヒートの発生を回避しながらもサイクルタイムを短縮することができる。すなわち、本実施形態は、一般的な技術に比べて、有利な効果を奏する。
【００８９】
なお、上記の行動情報学習システムに含まれる各装置のそれぞれは、ハードウェア、ソフトウェア又はこれらの組み合わせにより実現することができる。また、上記の行動情報学習システムに含まれる各装置のそれぞれの協働により行なわれる行動情報学習方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００９０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００９２】
上述した実施形態では、工作機械１００として、切削加工を行う工作機械を例として挙げたが、これに限定されない。例えば研削加工、研磨加工、圧延加工、あるいは鍛造加工といった他の加工を行う工作機械を工作機械１００としてもよい。
【００９３】
上述した実施形態では、行動情報学習装置３００や行動情報最適化装置４００を、工作機械１００や数値制御装置２００とは別体の装置により実現することを想定していたが、行動情報学習装置３００や行動情報最適化装置４００の機能の一部又は全部を工作機械１００や数値制御装置２００により実現するようにしてもよい。また、行動情報学習装置３００及び行動情報最適化装置４００の機能の双方を単一の装置により実現するようにしてもよい。
【符号の説明】
【００９４】
１００  工作機械
１１０  主軸モータ
１２０  温度測定部
１３０  サイクルカウンタ
２００  数値制御装置
２１０  モータ制御部
２２０  パラメータ設定部
３００  行動情報学習装置
３１０  状態情報取得部
３２０  行動情報出力部
３３０  学習部
３３１  報酬計算部
３３２  価値関数更新部
３３３  行動情報生成部
３４０  価値関数記憶部
４００  行動情報最適化装置
５００  ネットワーク
【図１】
2018120453.tif 000004
【図２】
2018120453.tif 000005
【図３】
2018120453.tif 000006
【図４】
2018120453.tif 000007